(57)【要約】【課題】セキュリティ性能を保ちながら、部品点数を引き下げ、製造コストを抑えることのできるラックの構造を提供する。【解決手段】上段への配線の下段側の収納部であるダクトは、機器収納用ラックのサイドパネルにカバー体を取り付けることで確保し、四辺端部に折曲部を設けた仕切り板はラックの前面から差し入れる前仕切り板と、後面から差し入れる後仕切り板とで構成し、ダクト本体は、下段の使用者がダクト本体を下段側から外せないように、仕切り板の折曲部にねじ止めされると共に、仕切り板の上面を超えないように取り付けたことを特徴とする。【選択図】図１
2015079896.tif 000002
【特許請求の範囲】
【請求項１】
仕切り板によって内部を分割し、各段毎に使用者が異なる各種通信機器を載置収納するためのラックであって、上段への配線の下段側の収納部であるダクトは、前記機器収納用ラックのサイドパネルにカバー体を取り付けることで確保し、四辺端部に折曲部を設けた前記仕切り板は前記ラックの前面から差し入れる前仕切り板と、後面から差し入れる後仕切り板とで構成し、前記ダクト本体は、下段の使用者が前記ダクト本体を下段側から外せないように、前記仕切り板の折曲部にねじ止めされると共に、前記仕切り板の上面を超えないように取り付けたことを特徴とするラックの構造。
【発明の詳細な説明】
【技術分野】
【０００１】
本発明は、仕切り板によって内部を分割し、各段毎に使用者が異なる各種通信機器を載置収納するためのラックの構造である。
【背景技術】
【０００２】
従来のラック５１では、ラック５１の床下からの配線を上段に通線する場合、ラック５１の側面部にダクト５２を設け、ダクト５２内にケーブルを収納していた。ダクト５２は本体５２ａとカバー５２ｂと二部材を組み合わせて筒状に構成されていた。また、ラック５１の仕切り板５３には、取り付け部５４が設けられ取り付け部５４にダクト５２を嵌めて取り付けていた。このように、段毎に使用者が異なるようなラック５１では、別の段から進入できたり、機器やケーブルに触れてしまったりするようなことがないような構造が望まれており、ダクト５２も下段から外すことができないように、上段側でダクト５２の本体５２ａとカバー５２ｂとを固定するようにしなければならなかった。そのため、仕切り板５３から突出した形でダクト５２が構成され、突出部５５でねじ止めを行っていた。
【０００３】
ラック５１の組み立て方は、底面フレーム５６にポスト５７を立ててポスト５７の上部に天板５８を取り付ける。上段と下段とを区別する仕切り板５３を固定するサイドレール５９をポスト５７やマウントアングル６０に取り付け、底面フレーム５６とサイドレール５９とにダクト本体５２ａを渡し固定する。それから仕切り板５３を差し入れ固定し、ダクトカバー５２ｂをダクト本体５２ａに被せ固定する。このとき、仕切り板５３に設けられる取り付け部５４は、ダクトカバー５２ｂを差し入れる余裕を持たせる。
【先行技術文献】
【特許文献】
【０００４】
【特許文献１】特開２００３−２０９３８０号公報
【特許文献２】特開２００４−１５８７２９号公報
【発明の概要】
【発明が解決しようとする課題】
【０００５】
しかしながら、上記従来技術によれば、ダクトの先端が上段の底面から突出しており、ダクトに通すケーブルがその突出部にあたり、ケーブルの被覆に傷がついてしまう虞があるため、突出部にはケーブル保護用の部材を設けていた。そのため、部品点数も増え在庫管理も面倒であった。
【０００６】
また、仕切り板を配置した状態で、ダクトカバーを取り付けるには、ダクトカバーと仕切り板の間には隙間が必要であったが、この隙間に工具が入ってしまうと、下段側からダクトカバーを外すことができてしまったり、上段側からねじ等の小部品が下段側に落下してしまったり、セキュリティ性能を低下させていた。
【課題を解決するための手段】
【０００７】
以上のような課題に鑑み、本発明に係るラックの構造は、上段への配線の下段側の収納部であるダクトは、機器収納用ラックのサイドパネルにカバー体を取り付けることで確保し、四辺端部に折曲部を設けた仕切り板はラックの前面から差し入れる前仕切り板と、後面から差し入れる後仕切り板とで構成し、ダクト本体は、下段の使用者がダクト本体を下段側から外せないように、仕切り板の折曲部にねじ止めされると共に、仕切り板の上面を超えないように取り付けたことを特徴とする。
【発明の効果】
【０００８】
本発明は、上段への配線の下段側の収納部であるダクトは、機器収納用ラックのサイドパネルにカバー体を取り付けることで確保することにより、従来用いていたダクトカバーは不要となり、部品点数が削減できる。四辺端部に折曲部を設けた仕切り板はラックの前面から差し入れる前仕切り板と、後面から差し入れる後仕切り板とで構成し、ダクト本体は、下段の使用者がダクト本体を下段側から外せないように、仕切り板の折曲部にねじ止めされると共に、仕切り板の上面を超えないように取り付けたため、セキュリティ性能を向上させることができると共に、仕切り板の取り付け作業が簡単に行えるようになる。ダクトは、仕切り板のから突出させずにラックに取り付けられるため、ケーブル保護のための部品が不要となる。
【図面の簡単な説明】
【０００９】
【図１】ラックの構造を示す側面側からの斜視図である。
【図２】ラックの構造を示す前面側からの斜視図である。
【図３】ラックの構造を示す正面図である。
【図４】図３におけるＡ−Ａ断面図である。
【図５】図３におけるＢ−Ｂ断面図である。
【図６】図２における要部拡大図である。
【図７】従来のラックの構造を示す説明図である。
【図８】図７の側断面図である。
【図９】図７における要部拡大図である。
【発明を実施するための形態】
【００１０】
本発明に係るラックの構造の実施例を図１から図６の添付図面に基づいて説明する。図面では、上下二分割にしたラックで説明する。
【００１１】
本発明は、データセンタに配置され、内部は仕切り板１によって分割し、各段毎に使用者が異なるラック２の構造である。このようなラック２の場合、他の段の機器を操作したりできないようにするため、仕切り板１やパネル３等の構造物が簡単に外せたりしないような構造にする必要がある。本発明に係るラック２の構造は、このようなセキュリティ性の向上を目指したものである。
【００１２】
ラック２に載置される機器への配線は床下からのケーブルでなされる。ラック２の下段への配線は、別の段を通ることはないので問題はないが、上段への配線は、下段を通ってなされるため、下段側から触れることができないようにしなくてはならない。本発明では、ラック２を構成するサイドパネル３を本体とし、サイドパネル３にカバー体４を取り付けてダクト５を構成する。
【００１３】
ダクト５の周囲に隙間を設けないため、仕切り板１は前後に分けて取り付ける。前仕切り板１ａはラック２の前面から、後仕切り板１ｂはラック２の後面から差し入れる構造とし、仕切り板１やダクト５を傾けることなく取り付けを可能とすることで、ダクト５の周囲に隙間を設けずにラック２を構成することができる。
【００１４】
仕切り板１は、四辺端部を夫々折り曲げ折曲部６を形成し、前後どちらかの仕切り板１の一部を切り欠いて、ダクト５を構成するカバー体４が嵌まる取り付け部７を設ける。ダクト５を構成するカバー体４は仕切り板１の折曲部６にねじ止めすることで固定する。このように固定した状態で、カバー体４の上端は、仕切り板１の上面を超えないように形成する。
【００１５】
ラック２の組み立て作業を説明する。底面フレーム８の四隅にそれぞれポスト９を立て、ポスト９の上部に天板１０を取り付ける。ラック２のポスト９の内側には機器等を取り付けるためのマウントアングル１１を設け、段を区切るためのサイドレール１２をポスト９に渡す。ラック２の四面はドア（図示せず）やサイドパネル３で被覆する。
【００１６】
ダクト５を構成するカバー体４はまず底面フレーム８に固定しておく。それからサイドレール１２に、前仕切り板１ａは前面から、後仕切り板１ｂは後面からカバー体４を取り付け部７に対向させながら挟み込むように差し込む。カバー体４の上部で仕切り板１の折曲部６にねじ止めする。
【００１７】
以上のように構成することで、上段側へ通線するケーブルを覆うダクト５は、ダクト５の内側から仕切り板１の折曲部６にねじ止めされるので、下段側からは、ダクト５を外すことはできない。そして、ダクト５を挟み込むように前後から仕切り板１を差し込んで取り付けるため、ダクト５と仕切り板１の間の組み立て用の隙間がいらなくなり、他の段への進入ができない、セキュリティ性の高いラックを提供できる。
【００１８】
また、ダクト５はサイドパネル３とカバー体４の組み合わせで構成されるので、部品点数を削減できる。それからカバー体４は、上端を仕切り板１の上面を超えない位置で固定するため上段側に突出することがなく、従来、ケーブルに傷をつけないための保護部材を付けていたが、これも省略できるようになる。
【００１９】
ダクト５はサイドパネル３にカバー体４を取り付けて構成することで、単純な形状にすることができ、その結果、ダクト内部のスペースも大きく確保することができる。
【符号の説明】
【００２０】
１    仕切り板
１ａ  前仕切り板
１ｂ  後仕切り板
２    ラック
３    （サイド）パネル
４    カバー体
５    ダクト
６    折曲部
７    取り付け部
８    底面フレーム
９    ポスト
１０  天板
１１  マウントアングル
【図１】
2015079896.tif 000003
【図２】
2015079896.tif 000004
【図３】
2015079896.tif 000005
【図４】
2015079896.tif 000006
【図５】
2015079896.tif 000007
【図６】
2015079896.tif 000008
【図７】
2015079896.tif 000009
【図８】
2015079896.tif 000010
【図９】
2015079896.tif 000011